(57)【要約】【課題】現在実行中の通信機能以外の機能の使用を停止することなく、電波の送信を停止状態に設定することによって、使い勝手の向上を図ることにある。【解決手段】電波を用いた通信機能を備えていると共に、この通信機能以外の機能を備えた携帯電話機であり、電波の送受信を行うアンテナ２１に接続されたアンテナ導線部２１ａの断続を行うように設けられたアンテナ接点部３２を有し、かつ本体部２の右側面部（携帯電話機ケーシング）２ｂの表面に露出しアンテナ接点部３２の開閉を行う操作部３１を有する電波遮断用スイッチ３を備えた構成を用いている。【選択図】  図１
2008079068.tif 000002
【特許請求の範囲】
【請求項１】
電波を用いた通信機能を備えていると共に、この通信機能以外の機能を備えた携帯電話機であって、
電波の送受信を行うアンテナに接続されたアンテナ導線部の断続を行うように当該アンテナ導線部に設けられたアンテナ接点部を有し、かつ携帯電話機ケーシングの表面に露出し前記アンテナ接点部の開閉を行う操作部を有する電波遮断用スイッチを備えていることを特徴とする携帯電話機。
【請求項２】
前記アンテナ導線部を断状態にすべく前記操作部を操作して前記アンテナ接点部を開状態に切り換えた際に、電波が遮断状態に設定されていることを示す情報を画像表示部に表示するように構成されていることを特徴とする請求項１に記載の携帯電話機。
【請求項３】
前記電波遮断用スイッチは、前記アンテナ接点部と、電圧源から制御部に至るラインに配置された電圧信号導線部の断続を前記操作部の操作に基づいて行うように当該電圧信号導線部に設けられた断続信号接点部とを備え、前記アンテナ導線部を断状態にすべく前記操作部を操作して前記アンテナ接点部を開状態に切り換えた際に、前記断続信号接点部を開状態又は閉状態に切り換えることによって前記電圧源から前記制御部に入力される信号を切り換えるように構成されており、
前記制御部は、前記電圧源から入力される信号が前記アンテナ接点部の開状態に対応する信号である場合に、電波が遮断状態に設定されていることを示す情報を画像表示部に表示するように構成されていることを特徴とする請求項１に記載の携帯電話機。
【請求項４】
前記電波が遮断状態に設定されていることを示す情報は、受信電波の強さを示す受信電界マークを否定する形状の電波遮断マークであることを特徴とする請求項２又は３に記載の携帯電話機。
【請求項５】
前記電波が遮断状態に設定されていることを示す情報は、前記画像表示部における各種表示の背景画像として示す電波遮断背景画像であることを特徴とする請求項２から４のうち何れか一項に記載の携帯電話機。
【請求項６】
前記電波遮断用スイッチは、前記操作部が前記携帯電話機ケーシングの表面に沿って移動自在に設けられたスライドスイッチによって構成されていることを特徴とする請求項１から５のうち何れか一項に記載の携帯電話機。
【発明の詳細な説明】
【技術分野】
【０００１】
本発明は、電波を用いた通信機能を有すると共に、当該通信機能以外の機能を備えた携帯電話機に関する。
【背景技術】
【０００２】
この種の携帯電話機としては、音声や電子メール等の情報を電波を用いてやり取りする通信機能を備えていると共に、ゲームや電子手帳等のアプリケーションソフトウエア等を実行したり、電子メールの文書を作成したりする通信機能以外の機能を備えたものが知られている。そして、携帯電話機は、上述した通信機能を使用してない場合でも、呼び出しに対する応答や、位置登録等のために電波を送信する場合があることから、医療用電子機器等に影響を与えるような病院や電車内等の場所では電源を切ることが要求されている。
【０００３】
しかし、携帯電話機を使用する側からみれば、電源を切ることなく、電波の送信のみを停止することができれば、上述した医療用電子機器等に影響を与えることなく、ゲーム等の機能を使用することができるので便利である。
【０００４】
そこで、電源を切ることなく、電波の送信を停止状態に設定することができる機能を備えた携帯電話機が開発されてきている（例えば、特許文献１参照）。
【特許文献１】特開２００２−１９９４５４号公報
【発明の開示】
【発明が解決しようとする課題】
【０００５】
ところが、上記従来の携帯電話機においては、画像表示部としての液晶ディスプレイにメニュー画像を表示させた上で、そのメニューの中から電波の送信を停止するモードを選択しなければならないため、例えばゲームを行っているときに、電波の送信を停止したい場合には、現在実行中のゲームを一旦停止しなければならず、使い勝手が悪いという問題があった。
【０００６】
本発明は、上記事情に鑑みてなされたものであり、現在実行中の通信機能以外の機能の使用を停止することなく、電波の送信を停止状態に設定することができる使い勝手の良い携帯電話機を提供することを目的としている。
【課題を解決するための手段】
【０００７】
上記目的を達成するために、請求項１に記載の発明は、電波を用いた通信機能を備えていると共に、この通信機能以外の機能を備えた携帯電話機であって、電波の送受信を行うアンテナに接続されたアンテナ導線部の断続を行うように当該アンテナ導線部に設けられたアンテナ接点部を有し、かつ携帯電話機ケーシングの表面に露出し前記アンテナ接点部の開閉を行う操作部を有する電波遮断用スイッチを備えていることを特徴としている。
【０００８】
請求項２に記載の発明は、請求項１に記載の発明において、前記アンテナ導線部を断状態にすべく前記操作部を操作して前記アンテナ接点部を開状態に切り換えた際に、電波が遮断状態に設定されていることを示す情報を画像表示部に表示するように構成されていることを特徴としている。
【０００９】
請求項３に記載の発明は、請求項１に記載の発明において、前記電波遮断用スイッチは、前記アンテナ接点部と、電圧源から制御部に至るラインに配置された電圧信号導線部の断続を前記操作部の操作に基づいて行うように当該電圧信号導線部に設けられた断続信号接点部とを備え、前記アンテナ導線部を断状態にすべく前記操作部を操作して前記アンテナ接点部を開状態に切り換えた際に、前記断続信号接点部を開状態又は閉状態に切り換えることによって前記電圧源から前記制御部に入力される信号を切り換えるように構成されており、前記制御部は、前記電圧源から入力される信号が前記アンテナ接点部の開状態に対応する信号である場合に、電波が遮断状態に設定されていることを示す情報を画像表示部に表示するように構成されていることを特徴としている。
【００１０】
請求項４に記載の発明は、請求項２又は３に記載の発明において、前記電波が遮断状態に設定されていることを示す情報は、受信電波の強さを示す受信電界マークを否定する形状の電波遮断マークであることを特徴としている。
【００１１】
請求項５に記載の発明は、請求項２から４の何れかに記載の発明において、前記電波が遮断状態に設定されていることを示す情報は、前記画像表示部における各種表示の背景画像として示す電波遮断背景画像であることを特徴としている。
【００１２】
請求項６に記載の発明は、請求項１から５の何れかに記載の発明において、前記電波遮断用スイッチは、前記操作部が前記携帯電話機ケーシングの表面に沿って移動自在に設けられたスライドスイッチによって構成されていることを特徴としている。
【発明の効果】
【００１３】
請求項１〜６に記載の発明によれば、アンテナに接続されたアンテナ導線部の断続を行うアンテナ接点部を有し、かつ携帯電話機ケーシングの表面に露出しアンテナ接点部の開閉を行う操作部を有する電波遮断用スイッチを備えているので、操作部を操作するだけで、アンテナ接点部を開状態に切り換えてアンテナ導線部を断状態にすることができる。従って、通信機能以外の機能を使用しているときでも、当該機能に影響を与えることなく、電波を遮断状態に設定することができるので、使い勝手の向上を図ることができる。
【００１４】
請求項２に記載の発明によれば、アンテナ導線部を断状態にすべく操作部を操作してアンテナ接点部を開状態に切り換えた際に、電波が遮断状態に設定されていることを示す情報を画像表示部に表示するように構成されているので、電波が遮断状態に設定されているか否かを画像表示部を見ることによって即座に確認することができる。
【００１５】
請求項３に記載の発明によれば、電波遮断用スイッチがアンテナ接点部と、電圧信号導線部を断続すべく設けられた断続信号接点部とを備え、アンテナ接点部を開状態に切り換えた際に断続信号接点部を開状態又は閉状態に切り換えることによって電圧源から制御部に入力される信号を切り換えるように構成されており、制御部は電圧源から入力される信号がアンテナ接点部の開状態に対応する信号である場合に、電波が遮断状態に設定されていることを示す情報を画像表示部に表示するように構成されているので、電波が遮断状態に設定されているか否かを画像表示部を見ることによって即座に確認することができる。しかも、アンテナ導線部が断線状態にあるか否かを電圧源から制御部に入力される信号によって確実に検知することができるという利点がある。
【００１６】
請求項４に記載の発明によれば、電波が遮断状態に設定されていることを示す情報が受信電波の強さを示す受信電界マークを否定する形状の電波遮断マークであるので、当該電波遮断マークを見ることにより直感的に即座に電波が遮断状態に設定されていることを知ることができる。
【００１７】
請求項５に記載の発明によれば、電波が遮断状態に設定されていることを示す情報が画像表示部における各種表示の背景画像として示す電波遮断背景画像であるので、画像表示部のほぼ全体に広がる電波遮断背景画像によって電波が遮断状態に設定されていることを即座に知ることができると共に、ゲーム等の通信機能以外の機能を使用しているときでもそのゲーム等の画面からはみ出した部分の電波遮断背景画像によって、電波が遮断状態に設定されていることを即座に知ることができる。また、電波の遮断情報として上述した電波遮断マークを併用している場合には、この電波遮断マークとの相乗効果によって、電波が遮断状態に設定されていることを確実かつ即座に知ることができる利点がある。
【００１８】
請求項６に記載の発明によれば、電波遮断用スイッチがスライドスイッチによって構成されているので、操作部が他の物に単に当たるだけでは、アンテナ接点部が開閉するような誤動作を生じることがない。従って、電波遮断用スイッチの誤動作を防止しながら、携帯電話機ケーシングにおける最も操作しやすい位置に操作部を配置することができるので、更に使い勝手の向上を図ることができる。
【発明を実施するための最良の形態】
【００１９】
以下、本発明を実施するための最良の形態としての一実施の形態について図面を参照しながら説明する。
【００２０】
この実施の形態で示す携帯電話機は、図２に示すように、蓋部１と本体部２とを備えており、図示しないスライドキーを操作することによって、蓋部１の内部に設けられたバネ（図示せず）によって、蓋部１が本体部２の正面部２ａに沿って図中上方に移動し、図２（ａ）の不使用状態から図２（ｂ）の使用状態に変化するように構成されている。また、蓋部１を図中下方に押すと、当該蓋部１が本体部２の正面部２ａを全体的に覆うように移動してから停止し、不使用状態になると共にこの不使用状態が保持されるようになっている。
【００２１】
蓋部１の正面部１ａには、上端部分にスピーカ開口部１１が設けられ、このスピーカ開口部１１の下側に液晶ディスプレイ（画像表示部）１２が設けられ、この液晶ディスプレイ１２の下側に多方向キー１３が設けられ、この多方向キー１３の中心部に決定キー１４が設けられ、多方向キー１３の左側に第１ファンクションキー１５及び発信キー１６が設けられ、多方向キー１３の右側には第２ファンクションキー１７及び終了キー１８が設けられている。
【００２２】
蓋部１内には、スピーカ開口部１１に対応する位置にスピーカ２４（図１参照）が収納されている。また、液晶ディスプレイ１２は、電話番号等の表示や、ゲーム、電子手帳等のアプリケーションソフトウエアを実行する画面の表示や、電子メールの文書を作成するための画面の表示等を行うようになっている。更に、液晶ディスプレイ１２には、例えば図４に示すように、電池レベルマーク１２ａや、受信電波の強さを示す受信電界マーク１２ｂや、日付１２ｃや、時刻１２ｄ等が表示されるようになっている。また、終了キー１８は、通常の固定電話機のオンフックと同様の機能を有していると共に、携帯電話機の電源スイッチとしての機能を有している。
【００２３】
一方、本体部２の上端部には、図２（ｂ）に示すように、電波の送受信を行うアンテナ２１が設けられている。また、本体部２の正面部２ａには、使用状態となっている蓋部１の図中下側の部分に電話番号、文字、記号等を入力するための複数のボタン２２が設けられ、これらのボタン２２の下側にマイク開口部２３が設けられている。更に、本体部２の右側面部２ｂには、後述する電波遮断用スイッチ３の操作部３１が設けられている。
【００２４】
アンテナ２１は、本体部２の上端部から上下方向に伸縮自在となるように、当該本体部２に設けられている。本体部２内には、マイク開口部２３に対応する位置にマイク２５（図１参照）が収納されている。
【００２５】
そして、携帯電話機は、音声や電子メール等の情報を電波を用いてやり取りする通信機能を備えていると共に、この通信機能以外の例えばゲームや電子手帳等のアプリケーションソフトウエア等を実行する機能や、電子メールの文書を作成する機能や、カメラ機能等を備えた構成になっている。
【００２６】
また、携帯電話機は、図１に示すように、アンテナ２１に接続されたアンテナ導線部２１ａの断続を行うように当該アンテナ導線部２１ａに設けられたアンテナ接点部３２を有し、かつ本体部２の右側面部２ｂ（携帯電話機ケーシングの表面）に露出し、アンテナ接点部３２の開閉を行う操作部３１を有する電波遮断用スイッチ３を備えた構成になっている。
【００２７】
アンテナ２１は、無線基地局からの電波を受信すると共に、無線基地局に対して電波を送信するようになっている。このアンテナ２１は、アンテナ導線部２１ａを介して送受信部２２に接続されている。
【００２８】
送受信部２２は、アンテナ２１から受信した高周波信号を、増幅、周波数変換等をすることによってベースバンド信号とするようになっている。このベースバンド信号は、音声処理部２３において音声信号に復調されてから、スピーカ２４に出力される。これにより、通話相手の音声等の音をスピーカ２４を介して聞くことができる。一方、マイク２５でとらえられた音声等の音は、音声信号として音声処理部２３に入力され、当該音声処理部２３によって変調された後、ベースバンド信号となって、送受信部２２に出力され、当該送受信部２２で高周波信号となってアンテナ２１から送信されることになる。
【００２９】
また、送受信部２２及び音声処理部２３は、制御部２６によって、制御されるようになっている。また、この制御部２６は、液晶ディスプレイ１２を制御することはもとより、図示しないＲＯＭからプログラム等のデータを読み込んだり、図示しないＲＡＭに対してデータのやり取りを行ったりするなどの携帯電話機全体の種々の機能を制御するようになっている。即ち、上述した音声や電子メール等の通信機能や、ゲームや電子手帳等のアプリケーションソフトウエア等の機能や、電子メールの文書を作成する機能や、カメラ機能等は、制御部２６によって制御されるようになっている。
【００３０】
更に、制御部２６には、電圧源２７から出力される電圧が電圧信号導線部２７ａを介して入力されるようになっている。電圧信号導線部２７ａは、電圧源２７から制御部２６に至るラインに配置されている。この電圧信号導線部２７ａには、電波遮断用スイッチ３の第２の接点である後述する断続信号接点部３３が設けられていると共に、この断続信号接点部３３の上流側（即ち、電圧源２７側）に第１の抵抗２７ｂが設けられている。また、電圧信号導線部２７ａは、断続信号接点部３３の下流側の部分が第２の抵抗２７ｃを介してケース接地されている。電圧源２７は、例えば５Ｖの携帯電話機の電源を利用したものとなっている。また、制御部２６には、断続信号接点部３３が閉状態に切り換えられた際に、電圧源２７から出力される電圧のうち、第１の抵抗２７ｂによって電圧降下した後の電圧で、第２の抵抗２７ｃによる電圧降下前の電圧が入力されるようになっている。
【００３１】
電波遮断用スイッチ３は、上述したアンテナ接点部３２と、電圧信号導線部２７ａに設けられた断続信号接点部３３とを備え、これらのアンテナ接点部３２及び断続信号接点部３３が操作部３１のスライド操作によってほぼ同時に開状態又は閉状態に機械的に連動して切り換わるようになっている。即ち、電波遮断用スイッチ３は、アンテナ導線部２１ａを断状態にすべく操作部３１を操作してアンテナ接点部３２を開状態に切り換えた際に、断続信号接点部３３を開状態に切り換えることによって、電圧源２７から制御部２６に入力される信号を切り換えるように構成されている。（なお、アンテナ接点部３２を開状態に切り換えた際に、断続信号接点部３３を閉状態に切り換えることによって、電圧源２７から制御部２６に入力される信号を切り換えるように構成してもよい。）
【００３２】
制御部２６は、電圧源２７から電圧信号導線部２７ａを介して入力される信号がアンテナ接点部３２の開状態に対応する信号である場合、即ち断続信号接点部３３が開状態になることによってほぼ接地電圧（ほぼ０Ｖ）となった信号である場合に、電波が遮断状態に設定されていることを示す情報を液晶ディスプレイ１２に表示すべく制御するようになっている。（なお、アンテナ接点部３２を開状態に切り換えた際に、断続信号接点部３３を閉状態に切り換えるように電波遮断用スイッチ３が構成されている場合は、電圧源２７から出力される電圧のうち第１の抵抗２７ｂで電圧降下した後の電圧の信号が制御部２６に入力されたときに、電波が遮断状態に設定されていることを示す情報を液晶ディスプレイ１２に表示すべく制御することになる。）
【００３３】
即ち、アンテナ導線部２１ａを断状態にすべく操作部３１をスライド操作してアンテナ接点部３２を開状態に切り換えた際に、電波が遮断状態に設定されていることを示す情報が液晶ディスプレイ１２に表示されるように構成されている。
【００３４】
そして、電波が遮断状態に設定されていることを示す情報は、図５に示すように、受信電界マーク１２ｂ（図４参照）を否定する形状の電波遮断マーク１２ｅとなっている。即ち、電波遮断マーク１２ｅは、受信電界マーク１２ｂの上に×印を記載した形状になっている。なお、アンテナ接点部３２が開状態になって電波が遮断状態に設定されると、電波が届かない状態になることから、受信電界マーク１２ｂに代えて圏外マーク１２ｆが表示されることになる。この圏外マーク１２ｆを表示する機能は従来からある機能である。このため、電波が電波遮断用スイッチ３によって遮断状態に設定されていない場合に、電波が届かないサービスエリア外に移動すると、図６に示すように、電波遮断マーク１２ｅが表示されることなく、圏外マーク１２ｆが表示されることになる。
【００３５】
電波遮断用スイッチ３の操作部３１は、図２（ｂ）の使用状態となっている本体部２を、当該本体部２の正面部２ａを見るようにして右手で握った際に、親指で図中上下方向にスライド操作しやすい位置に配置されている。しかも、操作部３１は、図３に示すように、操作面３１ａが本体部２における右側面部２ｂの表面と同一の面状となるように本体部２に設けられている。また、操作面３１ａには、当該操作面３１ａからわずかに突出する複数の円板状の凸部３１ｂによって滑り止めがなされている。このように、電波遮断用スイッチ３は、操作部３１が本体部２の右側面部２ｂの表面に沿って移動自在に設けられたスライドスイッチによって構成されている。
【００３６】
一方、本体部２における右側面部２ｂには、操作部３１の上下方向の移動を許容する四角形状の開口部２ｃが形成されていると共に、当該右側面部２ｂの表面には、開口部２ｃの図中上側（操作部３１のスライド方向の一方の側）にＯＮマーク２ｄが形成され、開口部２ｄの図中下側（操作部３１のスライド方向の他方の側）にＯＦＦマーク２ｅが形成されている。ＯＮマーク２ｄは、当該ＯＮマーク２ｄ側に操作部３１を移動した際に、アンテナ接点部３２及び断続信号接点部３３が閉状態になり、電波の送受信が可能な状態に設定されることを意味し、ＯＦＦマーク２ｅは、当該ＯＦＦマーク２ｅ側に操作部３１を移動した際に、アンテナ接点部３２及び断続信号接点部３３が開状態になり、電波が遮断状態に設定されることを意味する。
【００３７】
上記のように構成された携帯電話機においては、アンテナ２１に接続されたアンテナ導線部２１ａの断続を行うアンテナ接点部３２を有し、かつ本体部２の右側面部２ｂの表面に露出しアンテナ接点部３２の開閉を行う操作部３１を有する電波遮断用スイッチ３を備えているので、操作部３１を操作するだけで、アンテナ接点部３２を開状態に切り換えてアンテナ導線部２１ａを断状態にすることができる。従って、ゲーム等の通信機能以外の機能を使用しているときでも、当該機能に影響を与えることなく、電波を遮断状態に設定することができるので、使い勝手の向上を図ることができる。
【００３８】
また、操作部３１を操作してアンテナ接点部３２を開状態に切り換えた際に、電波が遮断状態に設定されていることを示す情報を液晶ディスプレイ１２に表示するように構成されているので、電波が遮断状態に設定されているか否かを液晶ディスプレイ１２を見ることによって即座に確認することができる。しかも、アンテナ導線部２１ａが断線状態にあるか否かを電圧源２７から制御部２６に入力される信号によって確実に検知することができる。
【００３９】
更に、電波が遮断状態に設定されていることを示す情報が受信電界マーク１２ｂを否定する形状の電波遮断マーク１２ｅであるので、当該電波遮断マーク１２ｅを見ることにより直感的に電波が遮断状態に設定されていることを知ることができる。
【００４０】
また、電波遮断用スイッチ３をスライドスイッチによって構成しているので、操作部３１が本体部２の右側面部２ｂに露出していても、服のポケット等に入れて持ち運ぶ際に他の物が当たる程度では操作部３１が移動しアンテナ接点部３２が開閉するような誤動作を生じることがない。しかも、操作部３１の操作面３１ａが本体部２の右側面部２ｂの表面と同一の面状となるように構成され、その操作面３１ａに滑り止め用のわずかに突出する円板状の凸部３１ｂが形成されているので、指以外の他のものがこすれる程度では、操作部３１が移動することがない。従って、誤動作を防止しながら、携帯電話機ケーシングにおける最も操作しやすい位置に操作部３１を配置することができるので、更に使い勝手の向上を図ることができる。
【００４１】
なお、上記実施の形態においては、電波遮断用スイッチ３をスライドスイッチによって構成した例を示したが、このスライドスイッチに代えて、操作部を押すことによりオン・オフする構造の押しボタン式のスイッチやその他の方式のスイッチによって構成してもよい。ただし、例えば、押しボタン式のスイッチを用いる場合には、操作部を蓋部１によって保護される位置（例えば本体部２の正面部２ａ）に配置することによって、不使用状態において、操作部が他の物に当たって誤動作しないように構成することが好ましい。
【００４２】
また、電波が遮断状態に設定されていることを示す情報として、電波遮断マーク１２ｅを採用した例を示したが、この電波が遮断状態に設定されていることを示す情報としては、
液晶ディスプレイ１２における各種表示の背景画像として示す電波遮断背景画像であってもよい。
【００４３】
この場合、液晶ディスプレイ１２のほぼ全体に広がる電波遮断背景画像によって電波が遮断状態に設定されていることを明確に知ることができる。また、ゲーム等の通信機能以外の機能を使用しているときでもゲーム等の画面からはみ出した電波遮断背景画像によって、電波が遮断状態に設定されていることを知ることができる。
【００４４】
また、上記電波遮断背景画像は単独で表示してもよく、電波遮断マーク１２ｅと共に表示してもよい。電波遮断背景画像を電波遮断マーク１２ｅと共に表示した場合には、電波遮断背景画像及び電波遮断マーク１２ｅの双方によって、電波が遮断状態に設定されていることをより明確に知ることができる。
【００４５】
一方、本体部２の右側面部２ｂには、図７に示すように、ＯＮマーク２ｄに代えて受信電界マーク２ｆを記載し、ＯＦＦマーク２ｅに代えて電波遮断マーク２ｇを記載するようにしてもよい。この場合には、電波を遮断状態に設定するために操作部３１を操作する方向を直感的に把握できるようになるので、より使いやすくなる。
【００４６】
また、携帯電話機として、スライド式の蓋部１によって本体部２の正面部２ａを開閉する構造のものを示したが、この携帯電話機としては、ヒンジを支点にして回動する蓋部１によって本体部２の正面部２ａを開閉する構造のものや、蓋部１が存在しない構造のものや、その他の構造のものであってもよい。
【図面の簡単な説明】
【００４７】
【図１】本発明の一実施の形態として示した携帯電話機の要部を示すブロック図である。
【図２】同携帯電話機を示す斜視図であって、（ａ）は不使用状態を示す斜視図であり、（ｂ）は使用状態を示す斜視図である。
【図３】同携帯電話機における電波遮断用スイッチの操作部を示す拡大斜視図である。
【図４】同携帯電話機における液晶ディスプレイを示す正面図である。
【図５】同携帯電話機における液晶ディスプレイを示す要部正面図であって、電波遮断マーク及び圏外マークが表示された状態を示す要部正面図である。
【図６】同携帯電話機における液晶ディスプレイを示す要部正面図であって、圏外マークが表示された状態を示す要部正面図である。
【図７】本発明の他の例として示した携帯電話機における電波遮断用スイッチの操作部を示す拡大斜視図である。
【符号の説明】
【００４８】
２  本体部
２ｂ  右側面部（携帯電話機ケーシング）
３  電波遮断用スイッチ
１２  液晶ディスプレイ（画像表示部）
１２ｂ  受信電界マーク
１２ｅ  電波遮断マーク
２１  アンテナ
２１ａ  アンテナ導線部
２６  制御部
２７  電圧源
２７ａ  電圧信号導線部
３１  操作部
３２  アンテナ接点部
３３  断続信号接点部
【図１】
2008079068.tif 000003
【図２】
2008079068.tif 000004
【図３】
2008079068.tif 000005
【図４】
2008079068.tif 000006
【図５】
2008079068.tif 000007
【図６】
2008079068.tif 000008
【図７】
2008079068.tif 000009